(57)【要約】【課題】携帯用保守端末によりプラント機器の保守・監視を行う際に、現場の機器を容易に特定するとともに、誤った機器に対するメンテナンス作業を防ぐ。【解決手段】携帯用保守端末５にプラント機器に貼り付けられた非接触型ＩＣタグ８の情報を読み取るタグ情報リーダ部７と、その情報を保守ツールへ送信する無線伝送部６を設け、保守ツール２には無線伝送部４を設け、上記携帯用保守端末５が読み取った機器の情報を受信して機器を特定し、当該機器に対応する制御演算論理を記述した図面や、機器の状態データなどの情報を携帯用保守端末５へ送信することで、携帯用保守端末側に当該機器の情報を表示し、メンテナンスを行う。また、保守ツールにメンテナンス時のインターロック条件を格納して作業の可否を判定することで、安全にメンテナンスを行う。【選択図】図１
2007334438.tif 000002
【特許請求の範囲】
【請求項１】
携帯用保守端末と保守ツールが通信を行いながらプラントの機器を保守・監視する携帯型プラント保守・監視システムにおいて、
前記携帯用保守端末は、
プラント機器に貼り付けられた、当該機器の情報を格納した非接触型ＩＣタグの情報を読み取るタグ情報リーダ部と、
保守ツールとの間で通信を行う伝送部を備え、
前記保守ツールは、
前記携帯用保守端末との間で通信を行う伝送部と、
プラント機器の制御演算論理を記述した図面情報を格納する記憶部と、
前記携帯用保守端末が読み取ったタグ情報を基にプラントの機器を特定し、当該機器に関する制御演算論理を記述した図面情報及び当該機器に関する情報を前記携帯用保守端末へ送信する処理部を備え、
前記携帯用保守端末に表示した当該機器に関する制御演算論理を記述した図面または、そこに設定されたデータを基に、当該機器に関するメンテナンスを行う携帯型プラント保守・監視システム。
【請求項２】
請求項１記載の携帯型プラント保守・監視システムにおいて、
前記携帯用保守端末において、保守・監視対象として特定した機器とは関連しない制御演算論理を記述した図面を表示している場合は、表示中の図面上からはメンテナンスを実施できないインターロック機能を備えた携帯型プラント保守・監視システム。
【請求項３】
請求項１または請求項２記載の携帯型プラント保守・監視システムにおいて、
前記保守ツールの記憶部にメンテナンス時のインターロック条件を格納し、メンテナンス時にインターロック条件を判定し、作業可能時にのみメンテナンスを行うことを特徴とする携帯型プラント保守・監視システム。
【請求項４】
請求項３記載の携帯型プラント保守・監視システムにおいて、
前記メンテナンス時のインターロック条件をプラント機器の運転状態とし、当該機器の運転状態を基にメンテナンス作業を制限するインターロック機能を備えた携帯型プラント保守・監視システム。
【請求項５】
請求項３記載の携帯型プラント保守・監視システムにおいて、
前記メンテナンス時のインターロック条件をプラント機器の保守担当者とし、当該機器の作業を行うために携帯用保守端末を操作している作業者を識別し、当該機器の保守担当者の場合にのみメンテナンス作業を行うよう制限するインターロック機能を備えた携帯型プラント保守・監視システム。
【請求項６】
携帯用保守端末を用いてプラントの機器を保守・監視するプラント保守・監視方法において、
プラント機器に貼り付けられた、当該機器の情報を格納した非接触型ＩＣタグの情報を読み取り、機器を特定する処理と、
当該機器に関する制御演算論理を記述した図面情報及び当該機器に関する情報を携帯用保守端末に表示する処理と、
携帯用保守端末に表示した制御演算論理を記述した図面から変更内容を設定する処理と、
前記設定された変更内容を基に当該機器のメンテナンスを行う処理を行うプラント保守・監視方法。
【請求項７】
請求項６記載のプラント保守・監視方法において、
前記メンテナンス処理の際に、メンテナンス時のインターロック条件を基に作業の実施可否を判定するインターロック処理を行うプラント保守・監視方法。
【発明の詳細な説明】
【技術分野】
【０００１】
本発明は、プラントに設置されている機器の保守及び監視を行うプラント保守・監視システムに関する。
【背景技術】
【０００２】
従来、発電所や変電所などのプラントに設置されている機器を制御するプラント制御装置の監視、制御は、中央操作室や制御室に設置された監視制御システムで行っていた。また、機器の点検、保守や設定変更などの作業はパーソナルコンピュータなどの計算機などに搭載された保守ツールを用いて行っていた。
【０００３】
上記保守ツールには、プラントのすべての機器を制御するための制御演算論理を記述した図面を格納しておき、保守員は、保守ツールを用いてそれらの図面を表示するとともに、制御パラメータなどの変更を行うことができる。また、保守ツールは、監視制御システムに格納されたプラント機器の運転状態を示す情報を参照することもできる。これらの操作は、中央操作室にてプラント運転員や保守員が行い、プラント全体を集中保守・監視する形態をとっていた。
【０００４】
しかしながら、現場に設置された機器の点検や調整、異常発生時の対応には、直接現場機器の近傍へ行く必要がある。そのため、監視制御システムの操作が必要な場合には、現場に赴く保守員と、中央操作室にいる運転員との間で、電話やトランシーバ等の機器を介して情報のやり取りを行っていた。この場合、現場にいる保守員はプラントの運転状態を見ることができず、また中央操作室にいる運転員は現場の状態を直接見ることができない。保守員及び運転員は、電話等の通信手段により交わされる相互の情報交換による現状把握しかできなかった。
【０００５】
上記を解決するために、保守員がプラント制御装置の保守・監視を行う携帯用保守端末を携帯し、携帯用保守端末と中央操作室の保守ツールとを無線で結び、現場にいながらにしてプラントの運転状態をモニタリングすることを可能にしている。
【０００６】
特許文献１には、作業員が現場で機器を監視する際に、携帯端末から監視対象機器を指定することにより、無線ＬＡＮ等を介して中央監視室のデータベースを検索し、携帯端末の画面上に監視対象機器に関するガイダンスや制御画面等の管理情報を表示させて現場の機器を監視することができる、現場監視システムの例についての開示がある。
【特許文献１】特開平９−２２２９１６号公報
【発明の開示】
【発明が解決しようとする課題】
【０００７】
ところで、従来のプラント制御装置の保守・監視を行う携帯用保守端末にて、無線技術を用い、現場でプラントの運転状態をモニタリングする機能は、通常、中央操作室に設置されている保守ツールと同等の機能である。そのため、現場のどこにいてもプラント全ての機器の運転状態を監視するとともに、全ての機器の制御演算論理を記述した図面を表示し、同じく全ての機器に関する制御パラメータを変更することができる。
【０００８】
ところが、携帯用保守端末は、現場で持ち歩き可能な大きさのため、画面などの表示部の大きさが十分ではなく、持ち歩きながら操作するため操作性も良くない等の状況から、プラントの全機器の中から、該当現場機器の情報を選び出すことは困難である。特に、発電所など機器の数量が膨大なプラントの場合、誤って違う機器の情報を表示してしまう場合もある。
【０００９】
この携帯用保守端末を用いて、制御パラメータ等の変更を行う場合にも、上記のように誤って表示した、違う機器の制御パラメータを変更してしまう可能性がある。コンバインド発電プラントにおける軸のように、まったく同じ構成の機器が、多数横に並んで設置されているようなプラントの場合、通常は通路などの色を異なる色で塗り分けるなどしてできるだけ識別し易くしているが、保守員が現場機器を目視確認するだけでは、誤って別の軸の機器の前で、機器の操作やパラメータ変更などの作業を行ってしまう可能性もある。
【００１０】
このように、従来技術では、保守員が携帯用保守端末を持って現場機器近傍へ行き、そこで当該機器の保守を行う場合、誤って違う機器の情報を表示し作業を行ってしまうという問題があった。
【００１１】
上記問題を解決するために、特許文献１の現場監視システムでは、携帯端末に赤外光からなるＩＤ要求信号及びＩＤ信号の投・受光器を設置し、ＩＤ信号を受信するとそのＩＤに対応する機器の監視情報をデータベースから検索して読み取る手段を設け、監視対象機器本体にはＩＤ要求信号を受光した場合にＩＤ信号を発信する投・受光器を設置している。これにより、保守員が携帯端末を監視対象機器本体に向け、ＩＤ要求信号を発信する操作を行うだけで、自動的に監視対象機器を特定し、監視情報を表示できるようにしている。
【００１２】
ところが、このように現場機器を特定した場合でも、携帯端末にて他の機器の情報を参照するなどの操作を行うことがあり、そのような操作を行った後に、当該機器の制御パラメータの変更などを行うと、誤って変更対象以外の機器のデータを変更してしまうという問題が、依然として残っていた。
【００１３】
本発明はかかる点に鑑みてなされたものであり、携帯用保守端末によりプラント機器の保守・監視を行う際に、現場の機器を容易に特定するとともに、制御パラメータなどの変更時に、誤った機器に対して作業するのを防ぐことを目的とする。
【課題を解決するための手段】
【００１４】
本発明は、携帯用保守端末にＩＣタグに格納された情報を読み取るリーダ部を備え、現場機器に貼り付けられた当該機器の情報を格納した非接触型ＩＣタグの情報を読み取り、その情報を無線により保守ツールへ送信する無線伝送部を設ける。保守ツールには、無線伝送部、制御装置の制御演算論理を記述した図面情報と時系列的に収集する機器の状態データなどの情報や、メンテナンス時のインターロック条件などを格納しておく記憶部を備える。そして、上記携帯用保守端末が読み取った現場機器の情報を受信し、その現場機器を特定する機器特定処理部と、当該機器に対応する制御装置の制御演算論理を記述した図面や、機器の状態データなどの情報を現場の携帯用保守端末へ無線により送信する機器情報提供部を設け、携帯用保守端末側で、当該機器の情報を誤りなく表示できるようにする。
【００１５】
また、保守ツールには、ＩＣタグから読み取った情報を基に特定した機器に対してのみパラメータ変更などのメンテナンスを行うよう判定するインターロック処理部と、制御演算論理やパラメータなどを変更するメンテナンス処理部を設ける。制御パラメータなどを現場機器の近傍で変更する場合、携帯用保守端末側で入力した制御パラメータなどの変更内容を、無線伝送部を介して保守ツールへ送信し、保守ツールでは、受信した情報を基に、ＩＣタグから特定した機器に対してのみ変更可能とするためのインターロック条件を判定し、メンテナンス処理を行う。
【００１６】
このように、携帯用保守端末にＩＣタグ情報を読み取るリーダ部を備え、機器を特定することで、携帯用保守端末側に自動的に当該機器の情報を表示することが可能になる。更に、保守ツールにインターロック処理部を設けることで、誤った機器に対するパラメータ変更などの作業を防ぐことができる。
【００１７】
また、メンテナンス作業に対するインターロック条件として、機器の運転状態や保守担当者などの条件を格納したテーブルを持たせることにより、きめ細かなインターロックをかけることを可能とする。これにより、メンテナンス作業によりプラントの運転に支障が出ることを防ぎ、より安全に保守を行うことができる。
【発明の効果】
【００１８】
本発明によると、携帯用保守端末で現場機器に貼り付けられたＩＣタグ情報を読み取ることで、現場機器を特定し、当該機器に関する情報の表示やパラメータ変更などのメンテナンス作業を行うことが可能になる。また、保守ツールにメンテナンスに関するインターロック条件を格納することで、きめ細かなインターロックをかけることができ、保守作業時の安全性を向上させることができる。
【発明を実施するための最良の形態】
【００１９】
以下、本発明の一実施の形態を、添付図面を参照して説明する。
【００２０】
図１は、本発明の一実施の形態によるシステムの全体構成例である。プラントの中央操作室には運転員がプラント全体の監視・制御を行う操作卓（以降ＯＰＳ（オペレータ・ステーション）と呼ぶ）１を設置し、中央操作室や制御機器室などには制御コントローラ（ＣＴＬ）１０、１１の保守を行う保守ツール２を設置する。制御コントローラ１０、１１は、内部に制御論理演算を行うプログラムを格納しており、この演算結果により現場機器２１、２２、２３、２４、２５、２６を制御している。なお、通常、制御コントローラは制御系統毎に設置され、発電所などの大規模プラントなどの場合は、３０〜４０台程度設置されるが、図１では２台のみ記載している。ＯＰＳ１、保守ツール２、および制御コントローラ１０、１１はネットワーク３を介して接続しており、互いに情報のやり取りを行っている。また、図１ではＯＰＳ１と保守ツール２を別々の計算機などの装置により構成するよう図示しているが、同一の装置に両方の機能を搭載してもよい。
【００２１】
また、保守ツール２は、携帯用保守端末５と通信するための無線伝送部４を備えており、保守員などにより現場に携帯された携帯用保守端末５との間で情報のやりとりを行う。本例では、保守ツール２と現場の携帯用保守端末５との間を結ぶ通信を無線通信としているが、有線による通信でも構わない。携帯用保守端末５は、持ち運び可能なＰＤＡ（Personal Digital Assistant）のような装置で、保守ツール２と通信を行うための無線伝送部６と、現場機器に貼り付けられたＩＣタグの情報を読み取るタグ情報リーダ部７を備えている。
【００２２】
現場機器２１〜２６は、例えばバルブやポンプなどの制御機器や、各種センサや熱電対などの計測機器であり、これらの現場機器本体にＲＦＩＤ（Radio Frequency Identification）のような非接触型ＩＣタグ８、８´、８″を貼り付け、そこに各機器を特定するための情報を格納しておく。現場機器に関する制御演算論理は、現場機器が接続する制御コントローラの内部に格納してあり、例えば、現場機器２１、２２、２３の制御演算論理は制御コントローラ１０に格納してある。制御コントローラは、現場機器の状態や、関連するプラントのプロセスデータなどの情報と上記制御演算論理を基に演算処理を行い、現場機器の制御を行う。
【００２３】
保守ツール２には、制御コントローラ１０、１１の制御演算論理を記述した図面情報を格納しておき、表示装置などの画面に表示する機能を有している。更に、ネットワーク３を介して制御コントローラで演算している現在の状態を取得し、上記画面上に重ねて表示することでプラントの運転状態をモニタリングすることができる。また、保守ツール２は、制御演算論理のパラメータなどを変更し、その変更内容をネットワーク３を介して制御コントローラへ伝送して更新するなどのメンテナンスを行うことができる。これらの機能は、無線伝送部４を介して情報をやりとりすることにより、携帯用保守端末５でも同様に実現できる。
【００２４】
図２に、本例の携帯用保守端末５の構成例を示す。携帯用保守端末５は、保守ツール２と通信を行う無線伝送部６、現場機器２０に貼り付けられたＩＣタグ８の情報を読み取るタグ情報リーダ部７、読み取ったタグ情報を保守ツール２へ送信したり、保守ツール２から受信した情報を入出力部３２へ表示したり、一時的に内部の記憶部３３へ保存するなどの処理を行うＣＰＵ（Central Processing Unit）３１から構成する。
【００２５】
図３に、本例の保守ツール２の構成例を示す。保守ツール２は、携帯用保守端末５と通信を行う無線伝送部４、制御コントローラ１０、１１の情報を取得したり、メンテナンスの情報を送信したりするためにネットワーク３を介して通信を行う伝送部４４、制御コントローラの制御演算論理を記述した図面情報を入出力部４２などの画面に表示したり、制御コントローラの制御演算論理のメンテナンスを行うなどの処理を行うＣＰＵ（Central Processing Unit）４１、制御コントローラの制御演算論理を記述した図面情報や、メンテナンスのためのインターロック条件などの情報を格納する記憶部４３から構成する。
【００２６】
また、保守ツール２のＣＰＵ４１は、携帯用保守端末５から受信した現場機器のＩＣタグ情報を基に、現場機器を特定する機器特定処理部４５、特定した機器に関する情報を携帯用保守端末５へ送信するための処理を行う機器情報提供部４６、記憶部４３に格納されたメンテナンス時のインターロック条件を基に、メンテナンス作業の実行可否を判定するインターロック処理部４７、制御コントローラの制御演算論理のパラメータ変更などのメンテナンスを行うメンテナンス処理部４８から構成する。
【００２７】
保守ツール２の記憶部４３には、予め制御装置の制御演算論理を記述した図面情報と、メンテナンスに関するインターロック条件を格納しておく。また、制御コントローラ１０、１１で収集している現場機器の状態を時系列的に収集する情報（以降トレンドデータと呼ぶ）をネットワーク３を介して取得し、格納する。なお、制御装置の制御演算論理を記述した図面情報や、現場機器のトレンドデータなどの情報は、保守ツール２の入出力部４２へ表示して参照することができ、携帯用保守端末５からの要求により、無線伝送部４を介して携帯用保守端末５へデータを送信し、携帯用保守端末５の入出力部３２へ表示して参照することもできる。
【００２８】
図４に、現場機器に対応する制御装置の制御演算論理を記述した図面のシート番号とトレンドデータのデバイスを登録しておくテーブル２００の例を示す。テーブル２００は、保守ツール２の記憶部４３に格納する。テーブル２００には、現場の機器毎に、機器名称２０２と、それらの機器に関連する制御演算論理を記述した図面のシート番号２０３、トレンドデータのデバイス２０４を登録する。トレンドデータのデバイスとは、データに付加した識別子であり、このデバイスを指定することにより、現場の計測機器などで計測されたトレンドデータを特定し、参照することができる。
【００２９】
一方、テーブル２００に登録された制御演算論理を記述した図面のシート番号に対応する図面の情報も、そのシート毎に記憶部４３に保存しておく。また、現場機器のトレンドデータも、制御コントローラなどから収集し、デバイス毎に記憶部４３に保存する。
【００３０】
なお、本例では、テーブル２００は保守ツール２に格納するが、携帯用保守端末５に格納しても構わない。ただし、携帯用保守端末の台数が複数台になった場合にテーブルの一元管理が必要になることや、携帯用保守端末にすべてのデータを保存するのに十分な容量の記憶部が必要になるなどのハードウェアの性能の問題などから、ここでは保守ツール２に格納する形態を選択している。
【００３１】
図５に携帯用保守端末５に表示する画面の例を示す。なお、保守ツール２でもこれと同様の画面を表示することがでる。携帯用保守端末５には、作業者からの要求に応じて現場機器に対応する制御演算論理を記述した図面のシート３０１や、トレンドデータのグラフ表示３０３を表示することができる。図５は、現場機器として「給水流量調節弁」に関する画面の例を示し、制御演算論理を記述したシートとしてシート番号Ｓｈ．１００の図面３０１と、給水流量や開度指令などのトレンドデータを示したグラフ３０３を示している。
【００３２】
また、制御演算論理を記述した図面のシート３０１の画面上で記号を選択するなどの方法により、制御パラメータを表示・変更する画面３０２を表示することもできる。これにより、試運転や定期点検時などに、現場機器の調整を行いながら本画面を用いて制御パラメータを変更することができる。
【００３３】
次に、携帯用保守端末５を用いて、現場機器の情報を表示し、メンテナンスを行う処理について説明する。図６は、携帯用保守端末５にて現場機器の状態をモニタしながら、メンテナンス作業として制御パラメータなどのチューニングを行う場合の処理を表すフローチャートである。本処理は、携帯用保守端末５と保守ツール２において互いに情報をやりとりしながら実行されるため、図６では、携帯用保守端末５側の処理を左側に、保守ツール２側の処理を右側に示す。
【００３４】
まず、作業者は携帯用保守端末５を持って現場へ行き、現場機器の近傍に達したら、タグ情報リーダ部７にて作業対象の現場機器に貼られているＩＣタグ８の情報を読出し（ステップＳ４０１）、保守ツール２へ送信する（ステップＳ４０２）。
【００３５】
保守ツール２では、携帯用保守端末５から現場機器の情報を取得し（ステップＳ４１１）、取得した現場機器の情報から当該機器を特定し、記憶部４３に保存されているテーブル２００を検索して該当機器の名称や図面のシート番号等のデータを検索する（ステップＳ４１２）。テーブル２００を検索して抽出した該当機器のデータを基に、制御演算論理を記述した図面のシート番号のうち、先頭に記載されているシートの図面データを抽出して携帯用保守端末５へ送信する（ステップＳ４１３）。
【００３６】
携帯用保守端末５では、保守ツール２から送信された図面データを受信し（ステップＳ４０３）、受信した図面を携帯用保守端末５の入出力部３２に表示する（ステップＳ４０４）。例えば、図４のテーブル２００において、当該機器が「給水流量調節弁」であるとすると、携帯用保守端末５はシート番号の先頭に記載されている「Ｓｈ．１００」の画面を表示する。画面表示後、作業者の要求によって、他のシートを順次表示することも可能である。その場合、図６には示していないが、携帯用保守端末５から保守ツール２へ表示要求を送信し、保守ツール２にて所定の画面データを検索し、携帯用保守端末５へ送信する。また、このとき作業者の要求により当該機器を制御する制御装置の制御演算状態も合わせて表示することも可能である。このように、保守ツール２は、携帯用保守端末５からの要求に対応して、当該機器の情報を提供する。
【００３７】
次に、保守ツール２では、携帯用保守端末５からトレンドデータの表示要求があるかを判定する（ステップＳ４１４）。要求がある場合は、テーブル２００を参照し、当該機器に対して登録されているトレンドデータのデバイスを基にトレンドデータを検索し、携帯用保守端末５へ送信する（ステップＳ４１５）。ステップＳ４１４の判定の結果、要求がない場合は、次の処理へ進む。
【００３８】
携帯用保守端末５では、保守ツール２から送信されたトレンドデータを受信し（ステップＳ４０５）、受信したトレンドデータのグラフを携帯用保守端末５の入出力部３２に表示する（ステップＳ４０６）。例えば当該機器が「給水流量調節弁」であるとすると、携帯用保守端末５にはテーブル２００のトレンドデバイスに定義されているＡ１０００（給水流量）とＡ１００１（調節弁開度）とＤ３０００（操作指令）のトレンドデータをグラフ表示する。
【００３９】
保守ツール２では、トレンドに関する処理が終わると、次に制御パラメータのチューニング要求があるかどうかを判定する（ステップＳ４１６）。要求がない場合は、処理を終了する。要求がある場合は、携帯用保守端末５において現在表示中のシート番号を取得する（ステップＳ４１７）。これは、携帯用保守端末５にて表示するシートを自由に変えることが可能で、チューニング要求時に他の機器の情報を表示している場合があり、誤ったパラメータをチューニングしてしまう可能性があるからである。携帯用保守端末５では、現在表示中のシート番号を保守ツール２へ送信する（ステップＳ４０７）。シート番号の送信のタイミングは、保守ツール２から取得要求を送信し、それに対する返信として送る方法でもよく、携帯用保守端末５にて新たに画面表示を行う都度保守ツール２へ送信する方法でもよい。
【００４０】
保守ツール２では、取得したシート番号がテーブル２００上で当該機器のシート番号として登録されているシートか否かを判定する（ステップＳ４１８）。当該機器のシートではないと判定された場合は、チューニング要求の受付けを拒否する（ステップＳ４２０）。ステップＳ４１８の判定の結果、当該機器のシートである場合は、要求された制御パラメータの変更（チューニング）処理を行う（ステップＳ４１９）。制御パラメータの変更は、携帯用保守端末５から送信されたデータを用いて行う。携帯用保守端末５では、画面から設定された制御パラメータの変更データを保守ツール２へ送信する（ステップＳ４０８）。例えば、当該機器が「給水流量調節弁」であるとすると、図５に示したような、制御パラメータを表示・変更する画面３０２を表示することができる。制御パラメータの変更（チューニング）の際には、画面３０２の「変更後」欄に変更したいパラメータの値を入力し、「変更」ボタンを選択することにより、変更データを送信する。
【００４１】
なお、上記ではメンテナンス処理のうち、制御パラメータの変更（チューニング）を例に説明したが、その他にも制御演算論理に用いるパラメータを追加・削除するなど保守ツール２で実施するメンテナンス作業と同等の処理についても、上記と同様に行うことができる。
【００４２】
本例では、保守ツール２の記憶部４３にメンテナンス時のインターロック条件を格納しておき、そのインターロック条件を基にメンテナンス可否を判定するインターロック処理部４７を設ける。次に、このインターロック処理として、現場機器の運転状態による条件と、保守担当者による条件を用いた処理について説明する。
【００４３】
図７に現場機器の運転状態における制御パラメータの変更可否を登録しておくテーブル５００の例を示す。本テーブル５００は、保守ツール２の記憶部４３に格納しておく。テーブル５００には、機器の名称５０２と、それら機器の制御パラメータをチューニングすることが可能な運転モード５０３を登録する。
【００４４】
プラントの機器には多様な機器があり、プラントの運用上非常に重要なものから、通常運転中には殆ど使わないものまで様々である。そのため、各機器の制御パラメータの変更可否は、機器の重要度によって異なる。つまり、重要な機器に対するチューニングは、プラント停止時にしか行わないが、プラント運転中でも安全上特に支障がない機器に関しては、プラント運転中でも常時変更が可能な場合がある。例えば、図７のテーブル５００の「給水流量調節弁」の場合は、チューニング可能な運転モードは「停止中」のみであるが、「排気ファン」の場合は、チューニング可能な運転モードは「常時」であるので、いつでもチューニング可能であることを示している。
【００４５】
本テーブル５００は、このように機器によってチューニング可能な運転状態に違いがある場合に、現場で誤ったタイミングで制御パラメータ等のチューニングを行ってしまうことを防ぐ為に使用する。また、本例では、メンテナンスのうち、制御パラメータのチューニングを例に示しているが、その他のメンテナンス作業についても同様に作業可能な運転状態を定義しておくことができる。更に、ひとつの機器に対しても、メンテナンス作業の内容によって作業の実施可否が異なるような場合に関しても、テーブル５００の構成を作業内容別に作業可能モードを定義するような形式にすることで実現できる。
【００４６】
図８に現場機器毎の保守担当者を登録しておくテーブル６００の例を示す。本テーブル６００は、保守ツール２の記憶部４３に格納しておく。テーブル６００には、機器の名称６０２と、機器毎の保守担当者の情報６０３を登録する。本テーブル６００は、機器毎に保守担当者が分かれている場合に、当該担当者以外の担当者が制御パラメータなどを変更することを防ぐ他、外部からの侵入者が事故を起こすために故意に操作してしまう事を防ぐ為などに使用される。
【００４７】
次に、上記に示したインターロック条件を基にメンテナンス可否を判定するインターロック処理について説明する。図９に機器の運転モードと作業者によってチューニングの制限を行う場合の処理例を示す。図９に示すフローチャートは、図６に示したフローチャートのステップＳ４１９の処理を更に詳細にしたものである。携帯用保守端末５にて制御パラメータをチューニングする時に、機器の運転モードや作業担当者によって制限を設ける場合は、保守ツール２のステップＳ４１９にてチューニング処理を実行する際に、インターロック条件を判定する処理を行う。
【００４８】
まず、機器の運転モードによる条件を判定するために、ＯＰＳ１から現在の運転モードを取得する（ステップＳ７０１）。次に、取得した運転モードが当該現場機器において現在チューニング可能なモードか否かをテーブル５００を参照して判定する（ステップＳ７０２）。例えば、当該現場機器が「給水流量調節弁」であるとすると、図７のテーブル５００の給水流量調節弁のデータを参照し、チューニング可能モードが「停止中」であることが分かる。そのため、ステップＳ７０１で取得した運転モードが「停止中」の場合のみ、チューニング可能と判定する。
【００４９】
ステップＳ７０２の判定の結果、現在の運転モードではチューニングが許されない場合は、チューニング要求の受付を拒否し（ステップＳ７０６）、処理を終了する。ステップＳ７０２の判定の結果、現在の運転モードでチューニングが許される場合は、担当者による条件を判定するために、作業者の情報を取得する（ステップＳ７０３）。作業者の情報の取得方法としては、携帯用保守端末５の入出力部３２から、作業者が自身の識別コードやパスワードなどの情報を入力し、その情報を携帯用保守端末５から保守ツール２へ送信して取得する方法や、作業者の胸章などに埋め込まれたＩＣタグなどに作業者の情報を格納しておき、携帯用保守端末５のタグ情報リーダ部７によってその情報を読み取り、保守ツール２へ送信して取得する方法などがある。
【００５０】
次に、取得した作業者の情報を基に、この作業者が当該現場機器の制御パラメータのチューニング等を許されている保守担当者か否かをテーブル６００を参照して判定する（ステップＳ７０４）。判定の結果、作業者が当該機器の保守担当者でない場合は、チューニング要求の受付を拒否し（ステップＳ７０６）、処理を終了する。ステップＳ７０４の判定の結果、作業者が当該機器の保守担当者である場合は、要求された制御パラメータの変更（チューニング）処理を行う（ステップＳ７０５）。
【００５１】
このように、制御パラメータの変更などのメンテナンス作業において、その作業が可能な条件をインターロック条件として定義しておくことにより、メンテナンス作業時の作業ミスを防ぐと同時に、プラントの運転に障害が発生することを防ぎ、メンテナンス時の安全性を向上させることができる。
【図面の簡単な説明】
【００５２】
【図１】本発明の一実施の形態による全体構成例を示すブロック図である。
【図２】本発明の一実施の形態による携帯用保守端末の構成例を示すブロック図である。
【図３】本発明の一実施の形態による保守ツールの構成例を示すブロック図である。
【図４】本発明の一実施の形態による機器に対応する制御演算論理を記述した図面のシート番号とトレンドデータのデバイスを登録するテーブル例の説明図である。
【図５】本発明の一実施の形態による画面例を示す説明図である。
【図６】本発明の一実施の形態による携帯用保守端末にて、機器の状態のモニタと制御パラメータのチューニングを行う処理例を示すフローチャートである。
【図７】本発明の一実施の形態によるインターロック条件（運転モード）のテーブル例を示す説明図である。
【図８】本発明の一実施の形態によるインターロック条件（保守担当者）のテーブル例を示す説明図である。
【図９】本発明の一実施の形態によるインターロック処理例を示すフローチャートである。
【符号の説明】
【００５３】
１…ＯＰＳ（オペレータ・ステーション）、２…保守ツール、３…ネットワーク、４…無線伝送部、５…携帯用保守端末、６…無線伝送部、７…タグ情報リーダ部、８、８´、８″…非接触型ＩＣタグ８、８´、８″、１０、１１…制御コントローラ、２０〜２６…現場機器、３１…ＣＰＵ、３２…入出力部、３３…記憶部、４１…ＣＰＵ、４２…入出力部、４３…記憶部、４４…伝送部、４５…機器特定処理部、４６…機器情報提供部、４７…インターロック処理部、４８…メンテナンス処理部、２００…機器に対応する制御演算論理を記述した図面のシート番号とトレンドデータのデバイスを登録するテーブル、５００…インターロック条件（運転モード）テーブル、６００…インターロック条件（保守担当者）テーブル
【図１】
2007334438.tif 000003
【図２】
2007334438.tif 000004
【図３】
2007334438.tif 000005
【図４】
2007334438.tif 000006
【図５】
2007334438.tif 000007
【図６】
2007334438.tif 000008
【図７】
2007334438.tif 000009
【図８】
2007334438.tif 000010
【図９】
2007334438.tif 000011